(57)【要約】【課題】成人および乳幼児に使用可能な天板であって、画質劣化を低減する医用画像診断装置用天板を提供すること。【解決手段】本実施形態に係る医用画像診断装置用天板１は、外装５と充填材３とを具備し、前記外装５の一部分５１、５３は、前記外装５の他の部分５５よりも低い放射線吸収係数を有すること、を特徴とする。【選択図】図１
2014069043.tif 000002
【特許請求の範囲】
【請求項１】
外装と充填材とを具備し、
前記外装の一部分は、前記外装の他の部分よりも低い放射線吸収係数を有すること、
を特徴とする医用画像診断装置用天板。
【請求項２】
前記外装の一部分は、前記充填材の短軸方向の中央部分に位置すること、
を特徴とする請求項１に記載の医用画像診断装置用天板。
【請求項３】
前記外装の一部分は、前記充填材の長軸方向の端部分に位置すること、
を特徴とする請求項２に記載の医用画像診断装置用天板。
【請求項４】
前記外装の一部分の厚みは、前記他の部分の厚みよりも薄いこと、
を特徴とする請求項３に記載の医用画像診断装置用天板。
【請求項５】
前記充填材は、前記外装の一部分に相対する領域において露出されていること、
を特徴とする請求項１に記載の医用画像診断装置用天板。
【請求項６】
外装と充填材とを具備し、
前記外装の一部分において、前記外装の他の部分よりも低い放射線吸収係数を有する第１材料と、前記他の部分を構成する第２材料とが混在し、
前記外装の他の部分は、均一な第２材料により構成されること、
を特徴とする医用画像診断装置用天板。
【請求項７】
前記外装の一部分における前記第２材料は格子状または縞状の形状を有し、前記格子状の格子間隔または前記縞状の縞間隔には前記第１材料が充填されること、
を特徴とする請求項６に記載の医用画像診断装置用天板。
【発明の詳細な説明】
【技術分野】
【０００１】
本発明の実施形態は、医用画像診断装置に用いられる天板に関する。
【背景技術】
【０００２】
従来、医用画像診断装置の寝台に用いられている天板は、被検体が成人であることを前提として設計され、製品化されている。このため、天板には、ある程度の重量に耐えるための強度が要求される。また、天板の外装及び充填材には、例えば図１１に示すように、それぞれ同一でかつ均一な材料が使用されている。以下、医用画像診断装置として、例えばＸ線コンピュータ断層撮影（Ｃｏｍｐｕｔｅｄ  Ｔｏｍｏｇｒａｐｈｙ：以下、ＣＴと呼ぶ）装置について述べる。
【０００３】
成人に比べて体の小さい乳幼児をＣＴ検査する場合、乳幼児の体の厚みは成人の体の厚みに比べて薄い。このため、天板を透過したＸ線に関するビュー数が増加する。加えて、Ｘ線の減弱度合いに対する天板のＸ線吸収の寄与が大きくなる。これらのことから、乳幼児を透過した透過Ｘ線の減少は、成人を透過した透過Ｘ線の減少に比べて大きくなる。すなわち、乳幼児を検査する場合、天板のＸ線吸収によるビューごとの投影データの不均一性は、成人の場合に比べて大きくなる。従って、乳幼児の医用画像の画質が成人の医用画像の画質に比べて劣化する問題がある。
【０００４】
さらに、乳幼児は成人に比べて被曝の影響が大きいため、成人に比べてより被曝を低減させる必要がある。このため、乳幼児のＣＴ検査において発生されるＸ線強度は、成人の場合に比べて、より低くする必要がある。このことは、先の画質劣化を助長する。
【０００５】
乳幼児の医用画像の劣化を解消するために、天板の外装として、Ｘ線吸収係数が小さい材料（以下、低Ｘ線吸収材料と呼ぶ）を天板に用いることができる。しかしながら、低Ｘ線吸収材料は強度が低いため、成人を支えることができない問題がある。
【発明の概要】
【発明が解決しようとする課題】
【０００６】
目的は、成人および乳幼児に使用可能な天板であって、乳幼児の医用画像の画質劣化を低減する医用画像診断装置用天板を提供することにある。
【課題を解決するための手段】
【０００７】
本実施形態に係る医用画像診断装置用天板は、外装と充填材とを具備し、前記外装の一部分は、前記外装の他の部分よりも低い放射線吸収係数を有すること、を特徴とする。
【図面の簡単な説明】
【０００８】
【図１】図１は、本実施形態に係る医用画像診断装置用天板の概要の一例を示す概要図である。
【図２】図２は、本実施形態に係り、図１のａ−ａ’の断面の一例を示す断面図である。
【図３】図３は、本実施形態に係り、図１のｃ−ｃ’の断面の一例を示す断面図である。
【図４】図４は、本実施形態を寝台に装備した一例を示す図である。
【図５】図５は、寝台に装備された本実施形態を、ガントリに挿入した一例を示す図である。
【図６】図６は、本実施形態の第１の変形例に係る医用画像診断装置用天板の概要の一例を示す概要図である。
【図７】図７は、本実施形態の第１の変形例に係り、図６のａ−ａ’の断面の一例を示す断面図である。
【図８】図８は、本実施形態の第１の変形例に係り、図６のｃ−ｃ’の断面の一例を示す断面図である。
【図９】図９は、本実施形態の第２の変形例に係る医用画像診断装置用天板の概要の一例を示す概要図である。
【図１０】図１０は、本実施形態の第２の変形例に係る医用画像診断装置用天板の概要の一例を示す概要図である。
【図１１】図１１は、従来の天板を示す図である。
【発明を実施するための形態】
【０００９】
以下、医用画像診断装置用天板の実施形態について図面を参照しながら説明する。以下、説明を簡単にするために、医用画像診断装置は、Ｘ線コンピュータ断層撮影（Ｃｏｍｐｕｔｅｄ  Ｔｏｍｏｇｒａｐｈｙ：以下、ＣＴと呼ぶ）装置であるとする。なお、本実施形態は、Ｘ線ＣＴ装置以外にもＸ線診断装置、核医学診断装置等にも使用可能である。以下の説明において、略同一の機能及び構成を有する構成要素については、同一符号を付し、重複説明は必要な場合にのみ行う。
【００１０】
図１は、本実施形態に係る医用画像診断装置用天板１の概要の一例を示す概要図である。本実施形態に係る医用画像診断装置用天板１は、充填材３と外装５とを有する。充填材３は、均一な材料から構成される。充填材３の材料は、例えば、発泡ウレタンである。
【００１１】
外装５は、充填材３の周囲に設けられる。具体的には、外装５の一部分５１、５３は、充填材３を挟んで相対する上面と下面とのうち少なくとも一方に設けられる。以下、外装の一部分５１、５３は、充填材３の上面と下面とに設けられるものとする。外装５の一部分５１、５３は、後述する外装５の他の部分５５よりも低いＸ線吸収係数（以下、低Ｘ線吸収係数と呼ぶ）を有する。外装５の一部分５１、５３は、例えば、充填材３の短軸方向の中央部分に位置する。加えて、外装５の一部分５１、５３は、充填材３の長軸方向の中央部分の両端のうちいずれか一方の端部分に位置する。これにより、本医用画像診断装置用天板１の強度を維持することができる。外装５の一部分５１、５３における長軸方向の長さは、乳幼児の体長、または成人の頭部（例えば、５０ｃｍ）程度の長さである。外装５の一部分５１、５３における短軸方向の長さは、乳幼児の体幅、または成人の頭部幅程度の長さである。外装５の一部分５１、５３は、外装５の他の部分５５より低いＸ線吸収係数の材料（以下、第１材料と呼ぶ）により構成される。第１材料は、例えば、塩化ビニールである。なお、第１材料は、炭素を含まない強化プラスチックであってもよい。
【００１２】
外装５の他の部分５５は、例えば、炭素繊維強化プラスチック（Ｃａｒｂｏｎ  Ｆｉｂｅｒ  Ｒｅｉｎｆｏｒｃｅｄ  Ｐｌａｓｔｉｃ：以下、ＣＦＲＰと呼ぶ）により構成される。外装５の他の部分５５の材質及び厚みは一定、すなわち均一である。外装５の他の部分５５は、医用画像診断装置用天板１の強度を担う。以下、外装５の他の部分５５に用いられる材料を第２材料と呼ぶ。
【００１３】
図２は、図１のａ−ａ’の断面の一例を示す断面図である。外装５の一部分５１、５３は、ｂとｂ’とに挟まれた間隔において、充填材３の上面と下面とに設けられる。図３は、図１のｃ−ｃ’の断面の一例を示す断面図である。外装５の一部分５１、５３は、ｄとｄ’とに挟まれた間隔において、充填材３の上面と下面とに設けられる。なお、外装５の一部分５１の相対する領域、すなわち外装５の一部分５３に相当する領域において、充填材３は露出されていてもよい。
【００１４】
図４は、本実施形態の医用画像診断装置用天板１を寝台７に装備した一例を示す図である。図４の矢印は、本医用画像診断装置用天板１が寝台７から張り出される方向を示している。図４における外装５の一部分５１は、矩形ＡＢＣＤで示されている。図４の矩形ＡＢＣＤは、図１の矩形ＡＢＣＤに対応する。外装５の一部分５１は、天板の張り出し方向の前方部分であって、本医用画像診断装置用天板１の短軸方向の略中央部分に配置される。図５は、寝台７に装備された本実施形態をガントリ９に挿入した断面の一例を示す図である。なお、図１、図２、図３、図５において、外装５の一部分５３に相当する領域において、充填材３は露出されていてもよい。
【００１５】
（第１の変形例）    
図６は、本実施形態の第１の変形例に係る医用画像診断装置用天板１の概要の一例を示す概要図である。実施形態との相違は、外装５の一部分５１の厚みが、外装５の他の部分５５の厚みより薄いことにある。図７は、第１の変形例に係り、図６のａ−ａ’の断面の一例を示す断面図である。図８は、第１の変形例に係り、図６のｃ−ｃ’の断面の一例を示す断面図である。図７、図８に示すように、外装５の一部分５１、５３の厚みは、外装５の他の部分５５の厚みに比べて薄い。図７、図８に示すように、外装５の一部分５１、５３に挟まれた部分の充填材の厚み３１は、充填材の他の部分の厚み３３に比べて厚くなる。
【００１６】
（第２の変形例）    
図９は、本実施形態の第２の変形例に係る医用画像診断装置用天板１の概要の一例を示す概要図である。実施形態との相違は、外装５の一部分５１が第１材料５７と第２材料５９とが混在していることにある。図９に示すように、外装５の一部分５７は、第１材料５７と第２材料５９とにより、縞状の形状を有する。第１材料５７は、縞の間隔に配置される。なお、図示していないが、充填材３を挟んで外装５の一部分５１に相対する外装の一部分に、外装５の一部分５１と同様な形状を配置することも可能である。
【００１７】
図１０は、本実施形態の第２の変形例に係る医用画像診断装置用天板１の概要の一例を示す概要図である。図１０に示すように、外装５の一部分５１において、第１材料５７と第２材料５９とにより、格子状の形状を有する。第１材料５７は、格子間隔に配置される。なお、図示していないが、充填材３を挟んで外装５の一部分５１に相対する外装の一部分に、外装５の一部分５１と同様な形状を配置することも可能である。また、外装５の一部分５１は格子状の形状を有し、充填材３を挟んで外装５の一部分５１に相対する外装の一部分は、図９のような縞状の形状を有していてもよい。なお、充填材３を挟んで相対する２つの外装の一部分は、充填材３の上面側に縞状、下面側に格子状の形状で配置させてもよい。
【００１８】
以上に述べた構成によれば、以下の効果を得ることができる。  
本実施形態における医用画像診断装置用天板１によれば、強度を維持しつつ、外装５の一部分５１、５３のＸ線吸収係数を、外装５の他の部分５５よりも低いＸ線吸収係数にすることができる。これにより、本医用画像診断装置用天板１によれば、体重の軽い乳幼児（例えば５ｋｇ程度）を支持し、かつＸ線吸収係数を低減できるため、乳幼児に対するＸ線ＣＴ検査において発生される医用画像の画質が向上する。さらに、成人のＸ線ＣＴ検査においては、外装５の一部分５１は、頭部またはつま先となるため、十分な強度を維持することができる。以上のことから、本医用画像診断装置用天板１によれば、成人のＸ線ＣＴ検査に支障をきたさずに、乳幼児の検査において画質の劣化を低減することができる。加えて、乳幼児に対して照射されるＸ線の強度を低減できるため、乳幼児に対する被曝の低減を図ることができる。
【００１９】
本実施形態の第１変形例における医用画像診断装置用天板１によれば、外装５の一部分５１、５３の厚みを、外装５の他の部分５５より薄く構成することができる。これにより、外装５の一部分５１、５３のＸ線吸収係数を、外装５の他の部分５５のＸ線吸収係数よりも低くすることができ、かつ本医用画像診断装置用天板１の強度を、実施形態に比べて向上させることができる。
【００２０】
本実施形態の第２の変形例における医用画像診断装置用天板１によれば、外装５の一部分５１において、ＣＦＲＰである第１材料５７と、第２材料５９とを混在させることができる。これにより、外装５の一部分５１のＸ線吸収係数を、外装５の他の部分５５のＸ線吸収係数よりも低くすることができ、かつ本医用画像診断装置用天板１の強度を、実施形態、第１の変形例に比べてさらに向上させることができる。
【００２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２２】
１…医用画像診断装置用天板、３…充填材、５…外装、７…寝台、９…ガントリ、３１…外装の一部分に挟まれた部分の充填材の厚み、３３…充填材の他の部分の厚み、５１…外装の一部分、５３…外装の一部分、５５…外装の他の部分、５７…第１材料、５９…第２材料
【図１】
2014069043.tif 000003
【図２】
2014069043.tif 000004
【図３】
2014069043.tif 000005
【図４】
2014069043.tif 000006
【図５】
2014069043.tif 000007
【図６】
2014069043.tif 000008
【図７】
2014069043.tif 000009
【図８】
2014069043.tif 000010
【図９】
2014069043.tif 000011
【図１０】
2014069043.tif 000012
【図１１】
2014069043.tif 000013